(57)【要約】【課題】画質を高めることができる表示装置を得る。【解決手段】複数のサブ画素を有する表示部と、交番する第１の画像データセットおよび第２の画像データセットに基づいて、表示部を駆動する表示駆動部とを備える。上記表示駆動部は、所定数のサブ画素を１つの画素とする割り当てを行い、第１の画像データセットに基づいて第１の表示駆動を行うとともに、第２の画像データセットに基づいて第２の表示駆動を行う。第１の表示駆動の対象である画素と第２の表示駆動の対象である画素との間に、１または複数のサブ画素に相当するずれが設けられている。【選択図】図６
2013257476.tif 000002
【特許請求の範囲】
【請求項１】
複数のサブ画素を有する表示部と、
交番する第１の画像データセットおよび第２の画像データセットに基づいて、前記表示部を駆動する表示駆動部と
を備え、
前記表示駆動部は、所定数のサブ画素を１つの画素とする割り当てを行い、前記第１の画像データセットに基づいて第１の表示駆動を行うとともに、前記第２の画像データセットに基づいて第２の表示駆動を行い、
前記第１の表示駆動の対象である画素と前記第２の表示駆動の対象である画素との間に、１または複数のサブ画素に相当するずれが設けられている
表示装置。
【請求項２】
一連の入力画像データセットに基づいてフレームレート変換を行うフレームレート変換部を有し、そのフレームレート変換された画像データに基づいて前記第１の画像データセットおよび前記第２の画像データセットを生成する画像生成部をさらに備えた
請求項１に記載の表示装置。
【請求項３】
前記画像生成部は、前記第１の画像データセットまたは前記第２の画像データセットのいずれを生成したかを示す判別信号を生成し、
前記表示駆動部は、前記判別信号に基づいて前記第１の表示駆動および前記第２の表示駆動を選択的に行う
請求項２に記載の表示装置。
【請求項４】
前記所定数は４である
請求項２に記載の表示装置。
【請求項５】
４つの前記サブ画素は、第１の方向および前記第１の方向と交差する第２の方向のそれぞれにおいて２つ並んで配置されている
請求項４に記載の表示装置。
【請求項６】
前記第１の表示駆動の対象である画素と前記第２の表示駆動の対象である画素との間に、前記第１の方向および前記第２の方向のそれぞれにおいて、１つのサブ画素に相当するずれが設けられている
請求項５に記載の表示装置。
【請求項７】
前記画像生成部は、画像分離部をさらに有し、
前記フレームレート変換部は、前記フレームレート変換を行うことにより、交番する第３の画像データセットおよび第４の画像データセットを生成し、
前記画像分離部は、前記第３の画像データセットに基づいて、前記第１の方向における第１の座標および前記第２の方向における第２の座標がともに奇数である画素データを分離して前記第１の画像データセットを生成するとともに、前記第４の画像データセットに基づいて、前記第１の座標および前記第２の座標がともに偶数である画素データを分離して前記第２の画像データセットを生成する
請求項５に記載の表示装置。
【請求項８】
前記画像生成部は、前記第３の画像データセットおよび前記第４の画像データセットのそれぞれに対して画素データを平滑化するフィルタをさらに有し、
前記画像分離部は、平滑化された前記第３の画像データセットに基づいて前記第１の画像データセットを生成するとともに、平滑化された前記第４の画像データセットに基づいて前記第２の画像データセットを生成する
請求項７に記載の表示装置。
【請求項９】
前記第３の画像データセットおよび前記第４の画像データセットのそれぞれは、前記表示部の画素数の４倍の数の画素データにより構成される
請求項７に記載の表示装置。
【請求項１０】
前記フレームレート変換部は、
前記入力画像データセットにおける、第１の方向および第２の方向に互いに隣接する４つの画素データに基づいて画素間の補間処理を行うことにより補間画像データセットを生成し、
前記入力画像データセットおよび前記補間画像データセットの一方を前記第１の画像データセットとし、
前記入力画像データセットおよび前記補間画像データセットの他方に対して、時間軸上の補間処理を行うことにより前記第２の画像データセットを生成する
請求項５に記載の表示装置。
【請求項１１】
前記４つのサブ画素は、
それぞれ異なる波長に対応づけられた第１のサブ画素と、第２のサブ画素と、第３のサブ画素と、
前記第１のサブ画素、前記第２のサブ画素、および前記第３のサブ画素とは異なる色光を発する第４のサブ画素とを有する
請求項５に記載の表示装置。
【請求項１２】
前記第１のサブ画素、前記第２のサブ画素、および前記第３のサブ画素は、それぞれ赤色、緑色、および青色の色光を発し、
前記第４のサブ画素が発する色光に対する視感度は、前記第２のサブ画素が発する緑色の色光に対する視感度と同程度またはそれ以上であり、
前記第２のサブ画素と、前記第４のサブ画素とは、前記第１の方向および前記第２の方向のいずれにおいても隣り合わないように配置されている
請求項１１に記載の表示装置。
【請求項１３】
前記第４のサブ画素は白色の色光を発する
請求項１２に記載の表示装置。
【請求項１４】
４つの前記サブ画素は、第１の方向に４つ並んで配置されている
請求項４に記載の表示装置。
【請求項１５】
前記第１の表示駆動の対象である画素と前記第２の表示駆動の対象である画素との間に、前記第１の方向において、２つのサブ画素に相当するずれが設けられている
請求項１４に記載の表示装置。
【請求項１６】
前記第１の画像データセットおよび前記第２の画像データセットに対して所定の画像処理を行う画像処理部をさらに備え、
前記表示駆動部は、前記画像処理された前記第１の画像データセット、および前記画像処理された前記第２の画像データセットに基づいて、表示駆動を行う
請求項１に記載の表示装置。
【請求項１７】
前記第１の画像データセットおよび前記第２の画像データセットのそれぞれは、前記表示部の画素数と同じ数の画素データにより構成される
請求項１に記載の表示装置。
【請求項１８】
前記表示部は、ＥＬ表示部である
請求項１に記載の表示装置。
【請求項１９】
交番する第１の画像データセットおよび第２の画像データセットに基づいて、表示部を駆動する表示駆動部を備え、
前記表示駆動部は、所定数のサブ画素を１つの画素とする割り当てを行い、前記第１の画像データセットに基づいて第１の表示駆動を行うとともに、前記第２の画像データセットに基づいて第２の表示駆動を行い、
前記第１の表示駆動の対象である画素と前記第２の表示駆動の対象である画素との間に、１または複数のサブ画素に相当するずれが設けられている
画像処理装置。
【請求項２０】
複数のサブ画素を有する表示部に対して、所定数のサブ画素を１つの画素とする割り当てを行い、交番する第１の画像データセットおよび第２の画像データセットのうちの前記第１の画像データセットに基づいて第１の表示駆動を行うとともに、前記第２の画像データセットに基づいて第２の表示駆動を行い、前記第１の表示駆動の対象である画素と前記第２の表示駆動の対象である画素との間に、１または複数のサブ画素に相当するずれを設ける
表示方法。
【発明の詳細な説明】
【技術分野】
【０００１】
本開示は、画像を表示する表示装置、そのような表示装置に用いられる画像処理装置、および表示方法に関する。
【背景技術】
【０００２】
近年、ＣＲＴ（Cathode Ray Tube）表示装置から液晶表示装置や有機ＥＬ（Electro- Luminescence）表示装置への置き換えが進んでいる。これらの表示装置は、いわゆるホールド型の表示デバイスである。すなわち、このような表示装置では、静止画を表示してから次の静止画を表示するまでの１フレーム期間において、同じ画像が表示され続ける。よって、観察者が、このような表示装置に表示された動体を観察する場合には、滑らかに追従しながら観察しようとしてしまうため、網膜上の像は、その１フレーム期間において、網膜の中央を横切って移動することとなる。これにより、このような表示装置において動画を観察すると、いわゆるホールドぼやけが生じ、観察者は、画質が低下したように感じてしまう。
【０００３】
このホールドぼやけを改善する方法について、いくつかの検討がなされている。例えば、特許文献１には、液晶表示装置において、バックライトをブリンキング駆動し、画像がホールド表示される時間を短くすることにより、ホールドぼやけの低減を図る表示装置が開示されている。また、例えば、特許文献２には、フレームレート変換を行うことにより、ホールドぼやけの低減を図る表示装置が開示されている。
【０００４】
ところで、表示装置には、各画素を４つのサブ画素で構成するものがある。例えば特許文献３には、各画素を、赤色、緑色、青色、および白色のサブ画素により構成することにより、例えば、白輝度を高くし、あるいは、消費電力を削減することができる表示装置が開示されている。例えば、これらの４つのサブ画素を２行２列で配置した場合には、画素信号を供給するデータ線の本数を減らすことができるため、そのデータ線を駆動する回路をより小型化できるなど、コストを下げることができるというメリットもある。
【先行技術文献】
【特許文献】
【０００５】
【特許文献１】特開２００８−２６８４３６号公報
【特許文献２】特開２０１０−５６６９４号公報
【特許文献３】特開２０１０−３３００９号公報
【発明の概要】
【発明が解決しようとする課題】
【０００６】
ところで、一般、表示装置では、画質を高めることが望まれている。具体的には、例えば、高精細化が望まれ、また、動画に対する応答の観点からフレームレートをより高くすることが望まれている。
【０００７】
本開示はかかる問題点に鑑みてなされたもので、その目的は、画質を高めることができる表示装置、画像処理装置、および表示方法を提供することにある。
【課題を解決するための手段】
【０００８】
本開示の表示装置は、表示部と、表示駆動部とを備えている。表示部は、複数のサブ画素を有するものである。表示駆動部は、交番する第１の画像データセットおよび第２の画像データセットに基づいて、表示部を駆動するものである。上記表示駆動部は、所定数のサブ画素を１つの画素とする割り当てを行い、第１の画像データセットに基づいて第１の表示駆動を行うとともに、第２の画像データセットに基づいて第２の表示駆動を行う。第１の表示駆動の対象である画素と第２の表示駆動の対象である画素との間に、１または複数のサブ画素に相当するずれが設けられている。
【０００９】
本開示の画像処理装置は、交番する第１の画像データセットおよび第２の画像データセットに基づいて、表示部を駆動する表示駆動部を備えている。上記表示駆動部は、所定数のサブ画素を１つの画素とする割り当てを行い、第１の画像データセットに基づいて第１の表示駆動を行うとともに、第２の画像データセットに基づいて第２の表示駆動を行う。第１の表示駆動の対象である画素と第２の表示駆動の対象である画素との間に、１または複数のサブ画素に相当するずれが設けられている。
【００１０】
本開示の表示方法は、複数のサブ画素を有する表示部に対して、所定数のサブ画素を１つの画素とする割り当てを行い、交番する第１の画像データセットおよび第２の画像データセットのうちの第１の画像データセットに基づいて第１の表示駆動を行うとともに、第２の画像データセットに基づいて第２の表示駆動を行い、第１の表示駆動の対象である画素と第２の表示駆動の対象である画素との間に、１または複数のサブ画素に相当するずれを設ける。
【００１１】
本開示の表示装置、画像処理装置、および表示方法では、交番する第１の画像データセットおよび第２の画像データセットに基づいて表示が行われる。その際、表示部では、所定数のサブ画素を１つの画素とする割り当てが行われ、第１の画像データセットに基づいて第１の表示駆動が行われ、第２の画像データセットに基づいて第２の表示駆動が行われる。この第１の表示駆動の対象である画素と第２の表示駆動の対象である画素との間には、１または複数のサブ画素に相当するずれが設けられている。
【発明の効果】
【００１２】
本開示の表示装置、画像処理装置、および表示方法によれば、第１の表示駆動の対象である画素と第２の表示駆動の対象である画素との間に、１または複数のサブ画素に相当するずれを設けるようにしたので、画質を高めることができる。
【図面の簡単な説明】
【００１３】
【図１】本開示の第１の実施の形態に係る表示装置の一構成例を表すブロック図である。
【図２】図１に示したフレームレート変換部の一動作例を表す模式図である。
【図３】図１に示したフィルタの一動作例を表す模式図である。
【図４】図１に示した画像分離部の一動作例を表す模式図である。
【図５】図１に示したＥＬ表示部の一構成例を表すブロック図である。
【図６】図１に示した表示制御部の一動作例を表す模式図である。
【図７】図１に示した表示装置の一動作例を表す模式図である。
【図８】図１に示した表示装置の一特性例を表す説明図である。
【図９】図１に示した表示装置の一特性例を表す説明図である。
【図１０】第１の実施の形態の比較例に係る表示装置の一特性例を表す説明図である。
【図１１】第１の実施の形態の変形例に係る表示装置の一構成例を表すブロック図である。
【図１２】第１の実施の形態の他の変形例に係る表示装置の一動作例を表す模式図である。
【図１３】第２の実施の形態に係る表示装置の一構成例を表すブロック図である。
【図１４】図１３に示したフレームレート変換部２２の一動作例を表す模式図である。
【図１５】図１３に示した表示装置の一動作例を表す模式図である。
【図１６】実施の形態に係る表示装置が適用されたテレビジョン装置の外観構成を表す斜視図である。
【図１７】変形例に係るＥＬ表示部の一構成例を表すブロック図である。
【図１８】変形例に係る表示制御部の一動作例を表す模式図である。
【図１９】変形例に係る表示制御部の一特性例を表す模式図である。
【図２０】変形例に係る表示装置の一構成例を表すブロック図である。
【発明を実施するための形態】
【００１４】
以下、本開示の実施の形態について、図面を参照して詳細に説明する。なお、説明は以下の順序で行う。
１．第１の実施の形態
２．第２の実施の形態
３．適用例
【００１５】
＜１．第１の実施の形態＞
［構成例］
図１は、第１の実施の形態に係る表示装置の一構成例を表すものである。この表示装置１は、表示素子として有機ＥＬ表示素子を用いた、ＥＬ表示装置である。なお、本開示の実施の形態に係る画像処理装置および表示方法は、本実施の形態により具現化されるので、併せて説明する。
【００１６】
表示装置１は、入力部１１と、フレームレート変換部１２と、フィルタ１３と、画像分離部１４と、画像処理部１５と、表示制御部１６と、ＥＬ表示部１７とを備えている。
【００１７】
入力部１１は、入力インターフェースであり、外部機器から供給された画像信号に基づいて画像信号Ｓｐ０を生成し出力するものである。表示装置１に供給される画像信号は、この例では、いわゆる４ｋ２ｋの解像度を有するものであり、毎秒６０フレームのプログレッシブ信号である。なお、供給される画像信号のフレームレートはこれに限定されるものではなく、これに代えて、例えば毎秒５０フレームであってもよい。
【００１８】
フレームレート変換部１２は、入力部１１から供給された画像信号Ｓｐ０に基づいて、フレームレート変換を行うことにより画像信号Ｓｐ１を生成するものである。このフレームレート変換は、この例では、毎秒６０フレームから毎秒１２０フレームへ、フレームレートを２倍に変換するものである。
【００１９】
図２は、フレームレート変換を模式的に表すものであり、（Ａ）はフレームレート変換前の映像を示し、（Ｂ）はフレームレート変換後の映像を示す。フレームレート変換は、時間軸上で隣り合う２つのフレーム画像Ｆに基づいて、時間軸上の補間処理によりフレーム画像Ｆｉを生成し、それらのフレーム画像Ｆの間にそのフレーム画像Ｆｉを挿入することにより行われる。例えば、図２（Ａ）に示したように、ボール９が左から右へ移動する映像の場合では、図２（Ｂ）に示したように、互いに隣り合うフレーム画像Ｆの間にフレーム画像Ｆｉを挿入することにより、ボール９がより滑らかに移動するようになる。また、ＥＬ表示部１７では、画素の状態が１フレームの間保持し続けることに起因するいわゆるホールドぼやけが生じるが、このフレーム画像Ｆｉを挿入することによりその影響を低減することができる。
【００２０】
フィルタ１３は、画像信号Ｓｐ１に含まれるフレーム画像Ｆ，Ｆｉに対して、画素ごとの輝度情報Ｉを平滑化してフレーム画像Ｆ２，Ｆｉ２をそれぞれ生成し、画像信号Ｓｐ２として出力するものである。具体的には、フィルタ１３は、この例では、２次元のＦＩＲ（Finite impulse response）フィルタにより構成されるものである。以下、フレーム画像Ｆに対して平滑化を行う場合を例に説明する。なお、フレーム画像Ｆｉに対して平滑化を行う場合も同様である。
【００２１】
図３は、フィルタ１３の動作を表すものであり、（Ａ）は平滑化動作を示し、（Ｂ）はフィルタ１３のフィルタ係数を示している。フィルタ１３は、図３（Ｂ）に示したように、３行３列のフィルタ係数を有している。この例では、中央のフィルタ係数が２であり、その左右および上下のフィルタ係数が１であり、その他のフィルタ係数が０である。フィルタ１３は、図３（Ａ）に示したように、フレーム画像Ｆのうちの、３行３列の領域ＲＦに対して、図３（Ｂ）に示したフィルタ係数の重み付けを行い、その領域ＲＦの中心座標における輝度情報Ｉを生成する。フィルタ１３は、フレーム画像Ｆにおいてこの領域ＲＦを水平方向Ｘまたは垂直方向Ｙに１画素ずつずらしながら、同様の演算を行う。このようにして、フィルタ１３は、フレーム画像Ｆを平滑化してフレーム画像Ｆ２を生成する。
【００２２】
画像分離部１４は、画像信号Ｓｐ２に含まれるフレーム画像Ｆ２から画像Ｆ３を分離するとともに、画像信号Ｓｐ２に含まれるフレーム画像Ｆｉ２から画像Ｆｉ３を分離して、画像信号Ｓｐ３として出力するものである。
【００２３】
図４は、画像分離部１４の動作を表すものであり、（Ａ）はフレーム画像Ｆ２から画像Ｆ３を分離する動作を示し、（Ｂ）はフレーム画像Ｆｉ２から画像Ｆｉ３を分離する動作を示す。画像分離部１４は、図４（Ａ）に示したように、画像信号Ｓｐ２に含まれるフレーム画像Ｆ２から、水平方向Ｘおよび垂直方向Ｙの座標がともに奇数である輝度情報Ｉを分離して、これらの輝度情報Ｉからなる画像Ｆ３を生成する。これにより、画像Ｆ３は、フレーム画像Ｆ２と比べ、水平方向Ｘおよび垂直方向Ｙの両方において、解像度がともに半分になる。同様に、画像分離部１４は、図４（Ｂ）に示したように、画像信号Ｓｐ２に含まれるフレーム画像Ｆｉ２から、水平方向Ｘおよび垂直方向Ｙの座標がともに偶数である輝度情報Ｉを分離して、これらの輝度情報Ｉからなる画像Ｆｉ３を生成する。これにより、画像Ｆｉ３は、フレーム画像Ｆｉ２と比べ、水平方向Ｘおよび垂直方向Ｙの両方において、解像度がともに半分になる。
【００２４】
このようにして、画像分離部１４は、画像Ｆ３，Ｆｉ３を含む画像信号Ｓｐ３を生成する。この画像信号Ｓｐ３は、この例では、いわゆる２ｋ１ｋの解像度を有するものである。すなわち、画像分離部１４は、４ｋ２ｋの解像度を有する画像信号Ｓｐ２に基づいて、２ｋ１ｋの解像度を有する画像信号Ｓｐ３を生成する。
【００２５】
また、画像分離部１４は、このように画像Ｆ３，Ｆｉ３を分離生成する際、その生成した画像が、画像Ｆ３，Ｆｉ３のどちらであるかを示す判別信号ＳＤを生成する機能も有している。
【００２６】
画像処理部１５は、画像信号Ｓｐ３に基づいて、例えば色域強調、コントラスト強調などの所定の画像処理を行い、画像信号Ｓｐ４として出力するものである。具体的には、画像処理部１５は、画像信号Ｓｐ３に含まれる画像Ｆ３に対してこの所定の画像処理を行うことにより画像Ｆ４を生成するとともに、画像信号Ｓｐ３に含まれる画像Ｆｉ３に対してこの所定の画像処理を行うことにより画像Ｆｉ４を生成し、これらを画像信号Ｓｐ４として出力するようになっている。
【００２７】
表示制御部１６は、画像信号Ｓｐ４および判別信号ＳＤに基づいて、ＥＬ表示部１７での表示動作を制御するものである。ＥＬ表示部１７は、表示素子として有機ＥＬ表示素子を用いた表示部であり、表示制御部１６からの制御に基づいて表示動作を行うものである。
【００２８】
図５は、ＥＬ表示部１７の一構成例を表すものである。ＥＬ表示部１７は、画素アレイ部４３と、垂直駆動部４１と、水平駆動部４２とを有している。
【００２９】
画素アレイ部４３は、この例では、いわゆる２ｋ１ｋの解像度を有するものであり、各画素を構成する４つのサブ画素ＳＰixがマトリックス状に配置されたものである。この例では、４つのサブ画素ＳＰixとして、赤色、緑色、青色、および白色のサブ画素ＳＰixが用いられている。画素アレイ部４３には、これらの４つのサブ画素ＳＰixが、配置単位Ｕを単位として繰り返し配置されている。この例では、配置単位Ｕにおいて、これらの４つのサブ画素ＳＰixを２行２列で配置している。具体的には、図５において、左上に赤色（Ｒ）のサブ画素ＳＰixを配置し、右上に緑色（Ｇ）のサブ画素ＳＰixを配置し、左下に白色（Ｗ）のサブ画素ＳＰixを配置し、右下に青色（Ｂ）のサブ画素ＳＰixを配置している。
【００３０】
なお、４つのサブ画素ＳＰixの色は、これらに限定されるものではない。例えば、白色のサブ画素ＳＰixに代えて、白色と同様に視感度が高い他の色のサブ画素ＳＰixを用いてもよい。より具体的には、赤色、青色、緑色のうち一番視感度が高い緑色と同等またはそれ以上に視感度が高い色のサブ画素ＳＰixを用いることが望ましい。
【００３１】
垂直駆動部４１は、表示制御部１６によるタイミング制御に基づいて走査信号を生成し、ゲート線ＧＣＬを介して画素アレイ部４３に供給することにより、画素アレイ部４３内のサブ画素ＳＰixを行（サブ画素ライン）ごとに順次選択して、線順次走査するものである。水平駆動部４２は、表示制御部１６によるタイミング制御に基づいて画素信号を生成し、データ線ＳＧＬを介して画素アレイ部４３に供給することにより、画素アレイ部４３の各サブ画素ＳＰixへ画素信号を供給するものである。
【００３２】
表示制御部１６は、画像信号Ｓｐ４に含まれる画像Ｆ４，Ｆｉ４に基づいてこのようなＥＬ表示部１７を制御する際、判別信号ＳＤに従って、画像Ｆ４，Ｆｉ４とで異なる表示駆動を行うように制御するようになっている。
【００３３】
図６は、表示制御部１６の制御動作を模式的に表すものであり、（Ａ）は画像Ｆ４を表示する場合を示し、（Ｂ）は画像Ｆｉ４を表示する場合を示す。表示制御部１６は、まず、判別信号ＳＤに基づいて、画像信号Ｓｐ４により供給されている画像が画像Ｆ４，Ｆｉ４のどちらであるかを判別する。そして、画像Ｆ４が供給されていると判別した場合には、表示制御部１６は、図６（Ａ）に示したように、配置単位Ｕ（図５）を構成する４つのサブ画素ＳＰixが、画素Ｐixを構成するように制御を行う。すなわち、この場合、画素Ｐixでは、左上に赤色（Ｒ）のサブ画素ＳＰixが配置され、右上に緑色（Ｇ）のサブ画素ＳＰixが配置され、左下に白色（Ｗ）のサブ画素ＳＰixが配置され、右下に青色（Ｂ）のサブ画素ＳＰixが配置される。また、画像Ｆｉ４が供給されていると判別した場合には、表示制御部１６は、図６（Ｂ）に示したように、水平方向Ｘおよび垂直方向Ｙにそれぞれサブ画素ＳＰixが１つずつずれた４つのサブ画素ＳＰixが、画素Ｐixを構成するように制御を行う。すなわち、この場合、画素Ｐixでは、左上に青色（Ｂ）のサブ画素ＳＰixが配置され、右上に白色（Ｗ）のサブ画素ＳＰixが配置され、左下に緑色（Ｇ）のサブ画素ＳＰixが配置され、右下に赤色（Ｒ）のサブ画素ＳＰixが配置される。
【００３４】
このように、表示制御部１６は、画像Ｆ４を表示する際の画素Ｐixと、画像Ｆｉ４を表示する際の画素Ｐixとを、水平方向Ｘおよび垂直方向Ｙにずらすように制御する。これにより、表示装置１では、後述するように、水平方向Ｘおよび垂直方向Ｙの解像度を高めるようになっている。
【００３５】
ここで、表示制御部１６は、本開示における「表示駆動部」の一具体例に対応する。フレームレート変換部１２、フィルタ１３、および画像分離部１４は、本開示における「画像生成部」の一具体例に対応する。画像Ｆ３，Ｆ４は、本開示における「第１の画像データセット」の一具体例に対応し、画像Ｆｉ３，Ｆｉ４は、本開示における「第２の画像データセット」の一具体例に対応する。画像Ｆ，Ｆ２は、本開示における「第３の画像データセット」の一具体例に対応し、画像Ｆｉ，Ｆｉ２は、本開示における「第４の画像データセット」の一具体例に対応する。
【００３６】
［動作および作用］
続いて、本実施の形態の表示装置１の動作および作用について説明する。
【００３７】
（全体動作概要）
まず、図１を参照して、表示装置１の全体動作概要を説明する。入力部１１は、外部機器から供給された画像信号に基づいて画像信号Ｓｐ０を生成する。フレームレート変換部１２は、画像信号Ｓｐ０に基づいてフレームレート変換を行い、フレーム画像Ｆとフレーム画像Ｆｉを交互に配列した画像信号Ｓｐ１を生成する。フィルタ１３は、フレーム画像Ｆ，Ｆｉにおける輝度情報を平滑化してフレーム画像Ｆ２，Ｆｉ２をそれぞれ生成する。画像分離部１４は、フレーム画像Ｆ２から画像Ｆ３を分離し、フレーム画像Ｆｉ２から画像Ｆｉ３を分離するとともに、判別信号ＳＤを生成する。画像処理部１５は、画像Ｆ３，Ｆ４に対して所定の画像処理を行うことにより画像Ｆ４，Ｆｉ４を生成する。表示制御部１６は、画像Ｆ４，Ｆｉ４、および判別信号ＳＤに基づいて、ＥＬ表示部１７での表示動作を制御する。ＥＬ表示部１７は、表示制御部１６からの制御に基づいて表示動作を行う。
【００３８】
（詳細動作）
図７は、表示装置１の詳細動作を模式的に表すものであり、（Ａ）は画像信号Ｓｐ０に含まれるフレーム画像Ｆを示し、（Ｂ）は画像信号Ｓｐ１に含まれるフレーム画像Ｆ，Ｆｉを示し、（Ｃ）は画像信号Ｓｐ２に含まれるフレーム画像Ｆ２，Ｆｉ２を示し、（Ｄ）は画像信号Ｓｐ３に含まれる画像Ｆ３，Ｆｉ３を示し、（Ｅ）はＥＬ表示部１７における表示画像Ｄ，Ｄｉを示す。ここで、例えば、Ｆ(n)は、ｎ番目のフレーム画像Ｆを示し、Ｆ(n+1)は、そのフレーム画像Ｆ(n)の次に供給される、（ｎ＋１）番目のフレーム画像Ｆを示す。また、フレーム画像Ｆは、周期Ｔ（例えば、１６．７［ｍｓｅｃ］＝１／６０［Ｈｚ］）で供給される。
【００３９】
まず、フレームレート変換部１２は、図７（Ｂ）に示したように、画像信号Ｓｐ０のフレームレートを２倍に変換する。具体的には、フレームレート変換部１２は、例えば、画像信号Ｓｐ０に含まれる、時間軸上で隣り合うフレーム画像Ｆ(n)，Ｆ(n+1)（図７（Ａ））に基づいて、補間処理によりフレーム画像Ｆｉ(n)を生成する（図７（Ｂ））。そして、フレームレート変換部１２は、このフレーム画像Ｆｉ(n)を、フレーム画像Ｆ(n)，Ｆ(n+1)の間に挿入する。
【００４０】
次に、フィルタ１３は、図７（Ｃ）に示したように、例えば、フレーム画像Ｆ，Ｆｉにおける輝度情報を平滑化してフレーム画像Ｆ２，Ｆｉ２をそれぞれ生成する。具体的には、例えば、フレーム画像Ｆ(n)（図７（Ｂ））に対して平滑化を行うことによりフレーム画像Ｆ２(n)を生成するとともに、フレーム画像Ｆｉ(n) （図７（Ｂ））に対して平滑化を行うことによりフレーム画像Ｆｉ２(n)を生成する。
【００４１】
次に、画像分離部１４は、図７（Ｄ）に示したように、フレーム画像Ｆ２に基づいて画像Ｆ３を生成するとともに、フレーム画像Ｆｉ２に基づいて画像Ｆｉ３を生成する。具体的には、画像分離部１４は、例えば、フレーム画像Ｆ２(n) （図７（Ｃ））から、水平方向Ｘおよび垂直方向Ｙの座標がともに奇数である輝度情報Ｉを分離して、これらの輝度情報Ｉからなる画像Ｆ３(n)を生成する。同様に、画像分離部１４は、例えば、フレーム画像Ｆｉ２(n) （図７（Ｃ））から、水平方向Ｘおよび垂直方向Ｙの座標がともに偶数である輝度情報Ｉを分離して、これらの輝度情報Ｉからなる画像Ｆｉ３(n)を生成する。
【００４２】
次に、画像処理部１５は、このフレーム画像Ｆ３，Ｆｉ３に対して所定の画像処理を行うことによりフレーム画像Ｆ４，Ｆｉ４をそれぞれ生成する（図７（Ｄ））。
【００４３】
そして、表示制御部１６は、図７（Ｅ）に示したように、フレーム画像Ｆ４，Ｆｉ４および判別信号ＳＤに基づいて、ＥＬ表示部１７での表示動作を制御する。具体的には、表示制御部１６は、例えば、判別信号ＳＤに基づいて、画素Ｐixの構成が図６（Ａ）に示すような構成になるように制御を行い、ＥＬ表示部１７は、画像Ｆ４(n) （図７（Ｄ））に基づいて表示画像Ｄ(n)を表示する（図７（Ｅ））。同様に、表示制御部１６は、例えば、判別信号ＳＤに基づいて、画素Ｐixの構成が図６（Ｂ）に示すような構成になるように制御を行い、ＥＬ表示部１７は、画像Ｆｉ４(n) （図７（Ｄ））に基づいて表示画像Ｄｉ(n)を表示する（図７（Ｅ））。
【００４４】
このようにして、表示装置１では、フレーム画像Ｆにおける、水平方向Ｘおよび垂直方向Ｙの座標がともに奇数である輝度情報Ｉに基づいて表示駆動が行われ、表示画像Ｄが表示されるとともに、補間処理により生成されたフレーム画像Ｆｉにおける、水平方向Ｘおよび垂直方向Ｙの座標がともに偶数である輝度情報Ｉに基づいて、水平方向Ｘおよび垂直方向Ｙにサブ画素ＳＰixが１つ分ずれるように表示駆動が行われ、表示画像Ｄｉが表示される。そして、表示画像Ｄおよび表示画像Ｄｉは、交互に表示される。これにより、観察者は、表示画像Ｄ，Ｄｉの平均画像を観察することとなる。
【００４５】
図８は、表示装置１の解像度を表すものであり、（Ａ）は表示画像Ｄの解像度を示し、（Ｂ）を表示画像Ｄｉの解像度を示し、（Ｃ）は表示画像Ｄ，Ｄｉの平均画像の解像度を示す。
【００４６】
各画素Ｐixを構成する４つのサブ画素ＳＰixの色のうち、緑色と白色は、他の２色に比べて、人間の視感度が高い。よって、画素Ｐixにおける輝度重心の位置は、主に緑色（Ｇ）のサブ画素ＳＰixの位置と、白色のサブ画素ＳＰixの位置により決まる。すなわち、表示装置１が表示画像Ｄを表示している場合には、図８（Ａ）に示したように、画素Ｐixにおいて、右上に緑色（Ｇ）のサブ画素ＳＰixが配置され、左下に白色（Ｗ）のサブ画素ＳＰixが配置されるため、輝度重心の位置（Ｃ１）は、画素Ｐixのほぼ中心付近になる。この輝度重心は、水平方向Ｘおよび垂直方向Ｙのそれぞれにおいて、画素Ｐixと同じピッチで配置されることとなる。
【００４７】
同様に、表示装置１が表示画像Ｄｉを表示している場合には、図８（Ｂ）に示したように、画素Ｐixにおいて、右上に白色（Ｗ）のサブ画素ＳＰixが配置され、左下に緑色（Ｇ）のサブ画素ＳＰixが配置されるため、輝度重心の位置（Ｃ２）は、画素Ｐixのほぼ中心付近になる。この輝度重心は、水平方向Ｘおよび垂直方向Ｙのそれぞれにおいて、画素Ｐixと同じピッチで配置されることとなる。
【００４８】
図６に示したように、表示制御部１６は、表示画像Ｄを表示する際の画素Ｐix（図６（Ａ））と、表示画像Ｄｉを表示する際の画素Ｐix（図６（Ｂ））とを、水平方向Ｘおよび垂直方向Ｙに、サブ画素１つ分ずれるようにずらす。よって、表示画像Ｄと表示画像Ｄｉとを交互に表示すると、輝度重心Ｃ１，Ｃ２は、図８（Ｃ）に示したように、水平方向Ｘおよび垂直方向Ｙに、サブ画素１つ分ずれることとなる。すなわち、解像度は、例えば表示画像Ｄのみを繰り返し表示する場合に比べて、水平方向Ｘおよび垂直方向Ｙにおいて、それぞれ２倍に改善する。言い換えれば、表示画像Ｄのみを繰り返し表示する場合における各輝度重心に対応する領域Ｒ１と、表示画像Ｄ，Ｄｉとを交互に表示する場合における各輝度重心に対応する領域Ｒ２との面積比から、解像度は１．４１倍（２の平方根）に改善する。
【００４９】
このように、表示装置１では、表示画像Ｄを表示するときと表示画像Ｄｉを表示するときとで、画素Ｐixをずらすように制御したので、ＥＬ表示部１７自体の解像度よりも高い解像度を実現することができる。
【００５０】
特に、画素アレイ部４３において、緑色のサブ画素ＳＰixおよび白色のサブ画素ＳＰixを、水平方向Ｘおよび垂直方向Ｙにおいて隣り合わないように配置したので、輝度重心を画素Ｐixのほぼ中心に配置することができるとともに、図８（Ｃ）に示したように隣接する４つの輝度重心Ｃ１の中央付近に輝度重心Ｃ２を配置することができ、画質を高めることができる。
【００５１】
仮に、ＥＬ表示部１７として高精細のものを用いた場合には、このように画素Ｐixをずらすように制御しなくても、高い解像度を得ることはできる。しかしながら、この場合には、線順次走査における各水平期間が短くなるため、十分に水平期間の時間を確保できないため、画質が低下するおそれがある。一方、表示装置１では、画素Ｐixをずらすことにより解像度を高めるようにしたので、高精細なＥＬ表示部を用いる必要がないため、水平期間をより長くすることができ、画質が低下するおそれを低減することができる。
【００５２】
また、表示装置１では、画像分離部１４において、４ｋ２ｋの解像度を有する画像信号Ｓｐ２に基づいて、２ｋ１ｋの解像度を有する画像信号Ｓｐ３を生成し、この画像信号Ｓｐ３に対して画像処理部１５が所定の画像処理を行うようにしたので、画像処理部１５における画像処理の負担を軽減することができる。
【００５３】
（フィルタ１３の動作）
次に、フィルタ１３の動作について説明する。フィルタ１３は、フレーム画像Ｆ，Ｆｉにおける画素ごとの輝度情報Ｉを平滑化する。これにより、以下に示したように、例えば、垂直方向における輝度情報の空間周波数が高い場合において、画質の劣化を低減することができる。
【００５４】
図９は、静止画を扱う場合の表示装置１の動作を表すものである。この例では、フィルタ１３に、垂直方向に対して一定の周期で変化する輝度情報（入力輝度Ｉin）を入力したときの、フィルタ１３の出力における輝度情報（フィルタ出力輝度Ｉｆout）、表示画像Ｄにおける輝度情報（表示輝度ＩＤ）、表示画像Ｄｉにおける輝度情報（表示輝度ＩＤｉ）、表示輝度ＩＤ，ＩＤｉの平均値（表示輝度ＩＤavg）を示している。図９において、（Ａ）は、垂直方向におけるサブ画素８つ分（サブ画素ライン８本分）の周期で入力輝度Ｉinが変化する場合を示し、（Ｂ）は、垂直方向におけるサブ画素２つ分（サブ画素ライン２本分）の周期で入力輝度Ｉinが変化する場合を示す。すなわち、図９（Ｂ）は、垂直方向における輝度情報の空間周波数が高い場合を示している。また、フィルタ１３のフィルタ係数は、この例では、図３（Ｂ）に示したものを用いている。なお、この例では、垂直方向において一定の周期で変化する輝度情報に対する動作を説明するが、水平方向において一定の周期で変化する輝度情報に対する動作についても同様である。
【００５５】
まず、空間周波数がさほど高くない場合（図９（Ａ））について説明する。フィルタ１３は、入力輝度Ｉinを平滑化して、フィルタ出力輝度Ｉｆoutを生成する。そして、フィルタ出力輝度Ｉｆoutのうちの、奇数のサブ画素ライン座標における輝度情報Ｉが、そのサブ画素ライン（奇数ライン）と次のサブ画素ライン（偶数ライン）にまたがる画素Ｐixに表示され（表示輝度ＩＤ）、同様に、フィルタ出力輝度Ｉｆoutのうちの、偶数のサブ画素ライン座標における輝度情報Ｉが、そのサブ画素ライン（偶数ライン）と次のサブ画素ライン（奇数ライン）にまたがる画素Ｐixに表示される（表示輝度ＩＤｉ）。観察者は、この表示輝度ＩＤと表示輝度ＩＤｉの平均値（平均表示輝度ＩＤavg）を観察することとなる。
【００５６】
平均表示輝度ＩＤavgは、表示輝度ＩＤ，ＩＤｉと比べ、入力輝度Ｉinに近い形状となるため、画質の低下を抑えることができる。すなわち、表示装置１では、図７に示したように、表示画像Ｄと表示画像Ｄｉとを交互に表示したが、例えば、表示画像Ｄのみを表示する場合、もしくは表示画像Ｄｉのみを表示する場合には、画質が低下するおそれがある。具体的には、表示画像Ｄのみを表示する場合には、観察者は表示輝度ＩＤ（図９（Ａ））を観察することになり、表示画像Ｄｉのみを表示する場合には、観察者は表示輝度ＩＤｉ（図９（Ａ））を観察することになる。この場合、表示輝度ＩＤ，ＩＤｉの形状は、入力輝度Ｉinの形状と異なってしまうため、画質が低下するおそれがある。一方、表示装置１では、画素Ｐixが互いにずれた表示画像Ｄと表示画像Ｄｉとを交互に表示したので、解像度を高めることができ、画質を高めることができる。
【００５７】
次に、空間周波数が高い場合（図９（Ｂ））について説明する。この場合には、フィルタ１３は、入力輝度Ｉinを平滑化して、ほぼ一定のフィルタ出力輝度Ｉｆoutを生成する。よって、表示輝度ＩＤ，ＩＤｉ、平均表示輝度ＩＤavgもまた、ほぼ一定となる。
【００５８】
この場合には、平均表示輝度ＩＤavgは、入力輝度Ｉinとは大きく異なる形状となる。しかしながら、一般に、観察者は、人間の視覚上の分解能が十分に高くないため、このように高い空間周波数の輝度情報Ｉを観察できず、複数のサブ画素ラインの平均輝度を観察するため、殆ど問題にならない。
【００５９】
また、このように空間周波数が高い場合には、フィルタ１３を設けることにより、次に比較例と比較して説明するように、フリッカが生じるおそれを低減することができる。
【００６０】
（比較例）
次に、比較例と対比して、本実施の形態の作用を説明する。本比較例に係る表示装置１Ｒは、フィルタ１３を有しないものである。その他の構成は、本実施の形態（図１）と同様である。
【００６１】
図１０は、表示装置１Ｒの動作を表すものであり、（Ａ）は、サブ画素ライン８本分の周期で入力輝度Ｉinが変化する場合を示し、（Ｂ）は、サブ画素ライン２本分の周期で入力輝度Ｉinが変化する場合を示す。すなわち、図１０は、図９（本実施の形態に係る表示装置１の場合）に対応するものである。
【００６２】
空間周波数がさほど高くない場合（図１０（Ａ））は、表示装置１の場合（図７（Ａ））と同様に、平均表示輝度ＩＤavgを、入力輝度Ｉinに近い形状にすることができるため、画質を高めることができる。
【００６３】
空間周波数が高い場合（図１０（Ｂ））には、フリッカが発生し、画質が低下するおそれがある。すなわち、この例では、表示輝度ＩＤは、入力輝度Ｉinのうちの、奇数のサブ画素ラインにおける輝度情報Ｉで一定になり、表示輝度ＩＤｉは、入力輝度Ｉinのうちの、偶数のサブ画素ライン座標における輝度情報Ｉで一定になる。よって、例えば、フレーム画像Ｆが画素ラインごとに白色と黒色を交互に配置したストライプである場合には、全面白色の表示画像Ｄと、全面黒色の表示画像Ｄｉが、交互に６０［Ｈｚ］の周期で表示されることになるため、観察者がちらつき（フリッカ）を感じるおそれがある。
【００６４】
一方、本実施の形態に係る表示装置１では、フィルタ１３を設けたので、空間周波数が高い場合には、輝度情報が平滑化されるため、このようなフリッカが生じるおそれを低減することができる。
【００６５】
この例では、空間周波数が高い場合の例として、サブ画素ライン２本分の周期で入力輝度Ｉinが変化する場合を検討したが、より低い空間周波数を有する画像しか扱わない場合には、フィルタ１３における３行３列のフィルタ係数（図３（Ｂ））の中央の値をより大きい値（例えば６など）に設定することにより、平滑化の効果がより弱くなるようにしてもよい。この場合には、例えば、図９（Ａ）において、平均表示輝度ＩＤavgを、入力輝度Ｉinにより近づけることができるため、画質を高めることができる。
【００６６】
また、本実施の形態に係る表示装置１では、フィルタ１３における３行３列のフィルタ係数のうち、４つのコーナーにおいてフィルタ係数を０に設定している。これにより、画素間隔が狭い上下方向および左右方向については、十分に平滑化が働くようにするとともに、画素間隔がやや広い斜め方向については、平滑化の効果を弱めることができる。
【００６７】
［効果］
以上のように本実施の形態では、画素を水平方向および垂直方向に互いにずらした２つの画像を交互に表示するようにしたので、解像度を高めることができ、画質を高めることができる。特に、本実施の形態では、緑色のサブ画素および白色のサブ画素を、水平方向および水平方向において隣り合わないように配置したので、画質を高めることができる。
【００６８】
また、本実施の形態では、画像分離部が、水平方向および垂直方向に解像度が低い画像を生成し、画像処理部が、その低い解像度の画像に対して所定の画像処理を行うようにしたので、画像処理部における画像処理の負担を軽減することができる。
【００６９】
また、本実施の形態では、フィルタを設けたので、フリッカが生じるおそれを低減することができ、画質の低下を抑えることができる。
【００７０】
［変形例１−１］
上記実施の形態では、表示装置１に供給される画像信号はプログレッシブ信号としたが、これに限定されるものではなく、これに代えて、例えば、図１１に示したように、ＩＰ（Interlace/ Progressive）変換部１１Ａを備えることにより、インターレース信号を入力可能に構成してもよい。
【００７１】
［変形例１−２］
上記実施の形態では、フレームレート変換部１２は、フレームレートを２倍に変換するものとしたが、これに限定されるものではなく、これに代えて、例えば、図１２に示したように、フレームレートを４倍に変換してもよい。本変形例では、フレームレート変換は、時間軸上で隣り合うフレーム画像Ｆに基づいて補間処理により３枚のフレーム画像Ｆｉ，Ｆｊ，Ｆｋを生成し、それらのフレーム画像Ｆの間にフレーム画像Ｆｉ，Ｆｊ，Ｆｋを挿入することにより行われる。
【００７２】
＜２．第２の実施の形態＞
次に、第２の実施の形態に係る表示装置２について説明する。本実施の形態は、供給される画像信号を、ＥＬ表示部１７と同じ解像度を有する信号にすることにより、回路構成をよりシンプルにしたものである。なお、上記第１の実施の形態に係る表示装置１と実質的に同一の構成部分には同一の符号を付し、適宜説明を省略する。
【００７３】
図１３は、第２の実施の形態に係る表示装置２の一構成例を表すものである。この表示装置２に供給される画像信号は、いわゆる２ｋ１ｋの解像度を有するものである。すなわち、この画像信号の解像度は、ＥＬ表示部１７の解像度と同じである。表示装置２は、フレームレート変換部２２を備えている。フレームレート変換部２２は、供給された画像信号Ｓｐ１０（フレーム画像Ｆ１０）に基づいて、フレームレート変換を行うことにより、画像信号Ｓｐ１２（画像Ｆ１２，Ｆｉ１２）を生成するものである。具体的には、フレームレート変換部２２は、後述するように、フレーム画像Ｆ１０のそれぞれに対して、画素間の補間処理を行うことにより画像Ｆ１１を生成し、時間軸上で隣り合う画像Ｆ１１に基づいて、時間軸上の補間処理により画像Ｆｉ１２を生成して出力するとともに、フレーム画像Ｆ１０を画像Ｆ１２として出力するようになっている。
【００７４】
図１４は、フレームレート変換部２２における画素間の補間処理を模式的に表すものであり、（Ａ）はフレーム画像Ｆ１０を示し、（Ｂ）は、画素間の補間処理により生成された画像Ｆ１１を示す。フレームレート変換部２２は、フレーム画像Ｆ１０のうちの２行２列の領域Ｒにおける輝度情報Ｉに基づいて、その領域Ｒの中心ＣＲにおける輝度情報Ｉを、補間処理により求める。フレームレート変換部２２は、フレーム画像Ｆ１０においてこの領域Ｒを水平方向Ｘまたは垂直方向Ｙに１画素ずつずらしながら、同様の演算を行う。このようにして、フレームレート変換部２２は、フレーム画像Ｆ１０全体に対して画素間の補間処理を行い、画像Ｆ１１を生成する。
【００７５】
その後、フレームレート変換部２２は、時間軸上で隣り合う画像Ｆ１１に基づいて、時間軸上の補間処理により画像Ｆｉ１２を生成するようになっている。
【００７６】
また、このフレームレート変換部２２は、上記第１の実施の形態に係る画像分離部１４と同様に、画像Ｆ１２，Ｆｉ１２を生成する際、その生成した画像が、画像Ｆ１２，Ｆｉ１２のどちらであるかを示す判別信号ＳＤを生成する機能も有している。
【００７７】
ここで、フレームレート変換部２２は、本開示における「画像生成部」の一具体例に対応する。フレーム画像Ｆ１０は、本開示における「入力画像データセット」の一具体例に対応する。画像Ｆ１１は、本開示における「補間画像データセット」の一具体例に対応する。
【００７８】
図１５は、表示装置２の詳細動作を模式的に表すものであり、（Ａ）は画像信号Ｓｐ１０に含まれるフレーム画像Ｆ１０を示し、（Ｂ）はフレーム画像Ｆ１０およびフレームレート変換部２２内において生成される画像Ｆ１１を示し、（Ｃ）は画像信号Ｓｐ１２に含まれる画像Ｆ１２，Ｆｉ１２を示し、（Ｄ）はＥＬ表示部１７における表示画像Ｄ，Ｄｉを示す。フレーム画像Ｆ１０は、時間Ｔ（例えば、１６．７［ｍｓｅｃ］＝１／６０［Ｈｚ］）で供給される。
【００７９】
まず、フレームレート変換部２２は、図１５（Ｂ）に示したように、画像信号Ｓｐ１０に含まれるフレーム画像Ｆ１０において、画素間の補間処理を行う。具体的には、フレームレート変換部２２は、例えば、画像信号Ｓｐ１０に含まれるフレーム画像Ｆ１０(n)（図１５（Ａ））に基づいて、図１４に示した補間処理を行うことにより、画像Ｆ１１(n)を生成する（図１５（Ｂ））。同様に、フレームレート変換部２２は、例えば、画像信号Ｓｐ１０に含まれるフレーム画像Ｆ１０(n+1)（図１５（Ａ））に基づいて、図１４に示した補間処理を行うことにより、画像Ｆ１１(n+1)を生成する（図１５（Ｂ））。
【００８０】
次に、フレームレート変換部２２は、図１５（Ｃ）に示したように、時間軸上で隣り合う画像Ｆ１１(n)，Ｆ１１(n+1)（図１５（Ｂ））に基づいて、時間軸上の補間処理により画像Ｆｉ１２(n)を生成する。そして、フレームレート変換部２２は、画像Ｆ１０(n)，Ｆ１０(n+1)をそれぞれ画像Ｆ１２(n)，Ｆ１２(n+1)として出力するとともに、画像Ｆｉ１２(n)を、画像Ｆ１２(n)，Ｆ１２(n+1)の間に挿入して出力する（図１５（Ｃ））。
【００８１】
その後、上記第１の実施の形態の場合と同様に、画像処理部１５は、このフレーム画像Ｆ１２，Ｆｉ１２に対して所定の画像処理を行い、表示制御部１６は、ＥＬ表示部１７での表示動作を制御し、ＥＬ表示部１７は、その制御に基づいて表示画像Ｄ，Ｄｉを表示する（図１５（Ｄ））。
【００８２】
表示装置２では、供給される画像信号を、２ｋ１ｋの解像度の信号、すなわちＥＬ表示部１７と同じ解像度の信号にしている。これにより、必ずしもフィルタを設ける必要がない。すなわち、上記第１の実施の形態に係る表示装置１では、フィルタ１３を設けない場合には、空間周波数が高いときに、フリッカが発生するおそれがあるため（図１０（Ｂ））、フィルタ１３を設けることが望ましい。一方、本実施の形態に係る表示装置２では、供給される画像信号が２ｋ１ｋの解像度の信号であり、フレーム画像Ｆ１０に対して画素間の補間処理を行ったうえでさらに時間軸上の補間処理を行うことにより画像Ｆｉ１２を生成するため、このようなフリッカが生じるおそれが低い。よって、フィルタを省くことができる。
【００８３】
また、フィルタを省くことにより、回路構成をシンプルにすることができる。特に、例えば、上記第１の実施の形態に係る表示装置１では、上述したフリッカを低減するためには、４ｋ２ｋの解像度の画像信号Ｓｐ１に対して平滑化を行う必要があるため、フィルタ１３の後段に画像分離部１５を設け、ＥＬ表示部１７と同じ解像度の信号に変換する必要がある。一方、本実施の形態に係る表示装置２では、フィルタ１３を省くことができるため、フレームレート変換部２２において、２ｋ１ｋの解像度の画像信号を直接生成することができるので、回路構成をシンプルにすることができる
【００８４】
以上のように本実施の形態では、供給される画像信号を、ＥＬ表示部と同じ解像度の信号にしたので、回路構成をシンプルにすることができる。その他の効果は、上記第１の実施の形態の場合と同様である。
【００８５】
＜３．適用例＞
次に、上記実施の形態および変形例で説明した表示装置の適用例について説明する。
【００８６】
図１６は、上記実施の形態等の表示装置が適用されるテレビジョン装置の外観を表すものである。このテレビジョン装置は、例えば、フロントパネル５１１およびフィルターガラス５１２を含む映像表示画面部５１０を有している。このテレビジョン装置は、上記実施の形態等に係る表示装置を含んで構成されている。
【００８７】
上記実施の形態等の表示装置は、このようなテレビジョン装置の他、デジタルカメラ、ノート型パーソナルコンピュータ、携帯電話等の携帯端末装置、携帯型ゲーム機、あるいはビデオカメラなどのあらゆる分野の電子機器に適用することが可能である。言い換えると、上記実施の形態等の表示装置は、映像を表示するあらゆる分野の電子機器に適用することが可能である。
【００８８】
以上、いくつかの実施の形態および変形例、ならびに電子機器への適用例を挙げて本技術を説明したが、本技術はこれらの実施の形態等には限定されず、種々の変形が可能である。
【００８９】
例えば、上記の各実施の形態等では、ＥＬ表示部１７の画素アレイ部４３において、４つのサブ画素ＳＰixを２行２列で配置して配置単位Ｕを構成したが、これに限定されるものではない。以下に、本変形例に係る表示装置１Ｂについて詳細に説明する。
【００９０】
図１７は、本変形例に係る表示装置１Ｂにおける、ＥＬ表示部１７Ｂの一構成例を表すものである。ＥＬ表示部１７Ｂは、２ｋ１ｋの解像度を有する画素アレイ部４３Ｂと、その画素アレイ部４３Ｂを駆動する垂直駆動部４１Ｂおよび水平駆動部４２Ｂとを有している。画素アレイ部４３Ｂには、垂直方向Ｙに延伸する４つのサブ画素ＳＰixが、配置単位Ｕを単位として繰り返し配置されている。この例では、配置単位Ｕは、４つのサブ画素ＳＰixが水平方向Ｘに並設されたものである。具体的には、図１７において、左から、赤色（Ｒ）、緑色（Ｇ）、青色（Ｂ）、白色（Ｗ）のサブ画素ＳＰixが順に配置されている。
【００９１】
図１８は、本変形例に係る表示装置１Ｂにおける、表示制御部１６Ｂの制御動作を模式的に表すものであり、（Ａ）は画像Ｆ４を表示する場合を示し、（Ｂ）は画像Ｆｉ４を表示する場合を示す。画像Ｆ４が供給されていると判別した場合には、表示制御部１６Ｂは、図１８（Ａ）に示したように、配置単位Ｕ（図１７）を構成する４つのサブ画素ＳＰixが、画素Ｐixを構成するように制御を行う。すなわち、この場合、画素Ｐixでは、左から、赤色（Ｒ）、緑色（Ｇ）、青色（Ｂ）、白色（Ｗ）のサブ画素ＳＰixが順に配置される。また、画像Ｆｉ４が供給されていると判別した場合には、表示制御部１６Ｂは、図１８（Ｂ）に示したように、水平方向Ｘにサブ画素ＳＰixが２つ分ずれた４つのサブ画素ＳＰixが、画素Ｐixを構成するように制御を行う。すなわち、この場合、画素Ｐixでは、左から、青色（Ｂ）、白色（Ｗ）、赤色（Ｒ）、緑色（Ｇ）のサブ画素ＳＰixが順に配置される。
【００９２】
図１９は、本変形例に係る表示装置１Ｂの解像度を表すものであり、（Ａ）は表示画像Ｄの解像度を示し、（Ｂ）を表示画像Ｄｉの解像度を示し、（Ｃ）は表示画像Ｄ，Ｄｉの平均画像の解像度を示す。各画素Ｐixにおける輝度重心の位置は、緑色（Ｇ）のサブ画素ＳＰixと白色（Ｗ）のサブ画素ＳＰixの中間付近（座標Ｃ１，Ｃ２）になる（図１９（Ａ），（Ｂ））。よって、表示画像Ｄと表示画像Ｄｉとを交互に表示すると、輝度重心Ｃ１，Ｃ２は、図１９（Ｃ）に示したように、水平方向Ｘに互いにサブ画素２つ分ずれることとなる。すなわち、解像度は、例えば表示画像Ｄのみを繰り返し表示する場合に比べて、水平方向Ｘにおいて２倍に改善する。
【００９３】
また、例えば、上記の各実施の形態等では、ＥＬ表示装置を構成したが、これに限定されるものではなく、これに代えて、例えば、図２０に示したように、液晶表示装置を構成してもよい。この表示装置１Ｃは、第１の実施の形態に係る表示装置１を、液晶表示装置に適用したものであり、液晶表示部１８と、バックライト１９と、これらを制御する表示制御部１６Ｂを備えている。
【００９４】
なお、本技術は以下のような構成とすることができる。
【００９５】
（１）複数のサブ画素を有する表示部と、
交番する第１の画像データセットおよび第２の画像データセットに基づいて、前記表示部を駆動する表示駆動部と
を備え、
前記表示駆動部は、所定数のサブ画素を１つの画素とする割り当てを行い、前記第１の画像データセットに基づいて第１の表示駆動を行うとともに、前記第２の画像データセットに基づいて第２の表示駆動を行い、
前記第１の表示駆動の対象である画素と前記第２の表示駆動の対象である画素との間に、１または複数のサブ画素に相当するずれが設けられている
表示装置。
【００９６】
（２）一連の入力画像データセットに基づいてフレームレート変換を行うフレームレート変換部を有し、そのフレームレート変換された画像データに基づいて前記第１の画像データセットおよび前記第２の画像データセットを生成する画像生成部をさらに備えた
前記（１）に記載の表示装置。
【００９７】
（３）前記画像生成部は、前記第１の画像データセットまたは前記第２の画像データセットのいずれを生成したかを示す判別信号を生成し、
前記表示駆動部は、前記判別信号に基づいて前記第１の表示駆動および前記第２の表示駆動を選択的に行う
前記（２）に記載の表示装置。
【００９８】
（４）前記所定数は４である
前記（２）または（３）に記載の表示装置。
【００９９】
（５）４つの前記サブ画素は、第１の方向および前記第１の方向と交差する第２の方向のそれぞれにおいて２つ並んで配置されている
前記（４）に記載の表示装置。
【０１００】
（６）前記第１の表示駆動の対象である画素と前記第２の表示駆動の対象である画素との間に、前記第１の方向および前記第２の方向のそれぞれにおいて、１つのサブ画素に相当するずれが設けられている
前記（５）に記載の表示装置。
【０１０１】
（７）前記画像生成部は、画像分離部をさらに有し、
前記フレームレート変換部は、前記フレームレート変換を行うことにより、交番する第３の画像データセットおよび第４の画像データセットを生成し、
前記画像分離部は、前記第３の画像データセットに基づいて、前記第１の方向における第１の座標および前記第２の方向における第２の座標がともに奇数である画素データを分離して前記第１の画像データセットを生成するとともに、前記第４の画像データセットに基づいて、前記第１の座標および前記第２の座標がともに偶数である画素データを分離して前記第２の画像データセットを生成する
前記（５）または（６）に記載の表示装置。
【０１０２】
（８）前記画像生成部は、前記第３の画像データセットおよび前記第４の画像データセットのそれぞれに対して画素データを平滑化するフィルタをさらに有し、
前記画像分離部は、平滑化された前記第３の画像データセットに基づいて前記第１の画像データセットを生成するとともに、平滑化された前記第４の画像データセットに基づいて前記第２の画像データセットを生成する
前記（７）に記載の表示装置。
【０１０３】
（９）前記第３の画像データセットおよび前記第４の画像データセットのそれぞれは、前記表示部の画素数の４倍の数の画素データにより構成される
前記（７）または（８）に記載の表示装置。
【０１０４】
（１０）前記フレームレート変換部は、
前記入力画像データセットにおける、第１の方向および第２の方向に互いに隣接する４つの画素データに基づいて画素間の補間処理を行うことにより補間画像データセットを生成し、
前記入力画像データセットおよび前記補間画像データセットの一方を前記第１の画像データセットとし、
前記入力画像データセットおよび前記補間画像データセットの他方に対して、時間軸上の補間処理を行うことにより前記第２の画像データセットを生成する
前記（５）または（６）に記載の表示装置。
【０１０５】
（１１）前記４つのサブ画素は、
それぞれ異なる波長に対応づけられた第１のサブ画素と、第２のサブ画素と、第３のサブ画素と、
前記第１のサブ画素、前記第２のサブ画素、および前記第３のサブ画素とは異なる色光を発する第４のサブ画素とを有する
前記（４）から（１０）のいずれかに記載の表示装置。
【０１０６】
（１２）前記第１のサブ画素、前記第２のサブ画素、および前記第３のサブ画素は、それぞれ赤色、緑色、および青色の色光を発し、
前記第４のサブ画素が発する色光に対する視感度は、前記第２のサブ画素が発する緑色の色光に対する視感度と同程度またはそれ以上であり、
前記第２のサブ画素と、前記第４のサブ画素とは、前記第１の方向および前記第２の方向のいずれにおいても隣り合わないように配置されている
前記（１１）に記載の表示装置。
【０１０７】
（１３）前記第４のサブ画素は白色の色光を発する
前記（１２）に記載の表示装置。
【０１０８】
（１４）４つの前記サブ画素は、第１の方向に４つ並んで配置されている
前記（４）に記載の表示装置。
【０１０９】
（１５）前記第１の表示駆動の対象である画素と前記第２の表示駆動の対象である画素との間に、前記第１の方向において、２つのサブ画素に相当するずれが設けられている
前記（１４）に記載の表示装置。
【０１１０】
（１６）前記第１の画像データセットおよび前記第２の画像データセットに対して所定の画像処理を行う画像処理部をさらに備え、
前記表示駆動部は、前記画像処理された前記第１の画像データセット、および前記画像処理された前記第２の画像データセットに基づいて、表示駆動を行う
前記（１）から（１５）のいずれかに記載の表示装置。
【０１１１】
（１７）前記第１の画像データセットおよび前記第２の画像データセットのそれぞれは、前記表示部の画素数と同じ数の画素データにより構成される
前記（１）から（１６）のいずれかに記載の表示装置。
【０１１２】
（１８）前記表示部は、ＥＬ表示部である
前記（１）から（１７）のいずれかに記載の表示装置。
【０１１３】
（１９）交番する第１の画像データセットおよび第２の画像データセットに基づいて、表示部を駆動する表示駆動部を備え、
前記表示駆動部は、所定数のサブ画素を１つの画素とする割り当てを行い、前記第１の画像データセットに基づいて第１の表示駆動を行うとともに、前記第２の画像データセットに基づいて第２の表示駆動を行い、
前記第１の表示駆動の対象である画素と前記第２の表示駆動の対象である画素との間に、１または複数のサブ画素に相当するずれが設けられている
画像処理装置。
【０１１４】
（２０）複数のサブ画素を有する表示部に対して、所定数のサブ画素を１つの画素とする割り当てを行い、交番する第１の画像データセットおよび第２の画像データセットのうちの前記第１の画像データセットに基づいて第１の表示駆動を行うとともに、前記第２の画像データセットに基づいて第２の表示駆動を行い、前記第１の表示駆動の対象である画素と前記第２の表示駆動の対象である画素との間に、１または複数のサブ画素に相当するずれを設ける
表示方法。
【符号の説明】
【０１１５】
１，１Ａ，１Ｂ，１Ｃ，２…表示装置、１１…入力部、１１Ａ…ＩＰ変換部、１２…フレームレート変換部、１３…フィルタ、１４…画像分離部、１５…画像処理部、１６，１６Ｂ，１６Ｃ…表示制御部、１７，１７Ｂ…ＥＬ表示部、１８…液晶表示部、１９…バックライト、２２…フレームレート変換部、４１，４１Ｂ…垂直駆動部、４２，４２Ｂ…水平駆動部、４３，４３Ｂ…画素アレイ部、Ｄ，Ｄｉ，Ｄｊ，Ｄｋ…表示画像、Ｆ，Ｆｉ，Ｆｊ，Ｆｋ，Ｆ２，Ｆｉ２，Ｆｊ２，Ｆｋ２…フレーム画像、Ｆ３，Ｆｉ３，Ｆｊ３，Ｆｋ３，Ｆ４，Ｆｉ４，Ｆｊ４，Ｆｋ４，Ｆ１１，Ｆｉ１１，Ｆ１２，Ｆｉ１２…画像、ＧＣＬ…ゲート線、Ｉ…輝度情報、Ｉfout…フィルタ出力輝度、Ｉin…入力輝度、ＩＤ，ＩＤｉ…表示輝度、ＩＤavg…平均表示輝度、Ｌ…ライン画像、Ｐix…画素、Ｒ，ＲＦ…領域、ＳＤ…判別信号、ＳＧＬ…データ線、ＳＰix…サブ画素、Ｓｐ０，Ｓｐ１，Ｓｐ２，Ｓｐ３，Ｓｐ４，Ｓｐ１０，Ｓｐ１２，Ｓｐ２１，Ｓｐ２２，Ｓｐ２５…画像信号、Ｕ…配置単位。
【図１】
2013257476.tif 000003
【図２】
2013257476.tif 000004
【図３】
2013257476.tif 000005
【図４】
2013257476.tif 000006
【図５】
2013257476.tif 000007
【図６】
2013257476.tif 000008
【図７】
2013257476.tif 000009
【図８】
2013257476.tif 000010
【図９】
2013257476.tif 000011
【図１０】
2013257476.tif 000012
【図１１】
2013257476.tif 000013
【図１２】
2013257476.tif 000014
【図１３】
2013257476.tif 000015
【図１４】
2013257476.tif 000016
【図１５】
2013257476.tif 000017
【図１６】
2013257476.tif 000018
【図１７】
2013257476.tif 000019
【図１８】
2013257476.tif 000020
【図１９】
2013257476.tif 000021
【図２０】
2013257476.tif 000022